(57)【要約】【課題】投影画像に重ねて表示するポインタ図形をより自由に移動させることができるプロジェクタを提供する。【解決手段】スクリーンＳに投影した画像上に任意の部分を指し示すポインタ図形を表示するプロジェクタ１は、使用者がリモコン１０のカーソルキーを所定の順番で押下すること等により、予め定められた順番で所定の命令を連続して受け付けた場合に、ポインタ図形の軌跡が円又は直線等の所定の形状を描くように、投影画像上でのポインタ図形の位置を連続的に変更する処理を行う。発表者は、リモコン１０を操作することにより、任意の位置でポインタ図形の軌跡に円又は直線等の形状を描かせる等、ポインタ図形をより自由に移動させ、画像上の所望の部分を容易に強調することができる。【選択図】図１
2008293289.tif 000002
【特許請求の範囲】
【請求項１】
画像を投影し、投影した画像上の任意の部分を指し示すポインタ図形を画像上に表示するプロジェクタにおいて、
前記ポインタ図形の軌跡が所定の形状を描くように、画像上での前記ポインタ図形の位置を連続的に変更する手段を備えることを特徴とするプロジェクタ。
【請求項２】
画像を投影し、投影した画像上の任意の部分を指し示すポインタ図形を画像上に表示する手段と、複数の命令を受け付ける受付手段とを備えるプロジェクタにおいて、
前記受付手段が予め定められた順番で所定の命令を連続して受け付けた場合に、前記ポインタ図形の軌跡が所定の形状を描くように、画像上での前記ポインタ図形の位置を連続的に変更する処理手段を備えることを特徴とするプロジェクタ。
【請求項３】
画像を投影し、投影した画像上の任意の部分を指し示すポインタ図形を画像上に表示する手段と、複数の命令を受け付ける受付手段とを備えるプロジェクタにおいて、
前記受付手段が受け付けることが可能な連続した所定の命令の順番を、前記ポインタ図形の軌跡が所定の形状を描くように画像上での前記ポインタ図形の位置を連続的に変更する処理に対応付けて記憶する記憶手段と、
前記受付手段が受け付けた命令を受け付けた順に複数個記憶する一時記憶手段と、
前記受付手段が命令を受け付けた場合に、前記一時記憶手段が記憶した複数の命令の順番が、前記記憶手段が記憶する所定の命令の順番に一致するか否かを判定する手段と、
前記一時記憶手段が記憶した複数の命令の順番が前記記憶手段が記憶する所定の命令の順番に一致すると判定された場合に、前記所定の命令の順番に対応付けられた処理を実行する処理手段と
を備えることを特徴とするプロジェクタ。
【請求項４】
前記一時記憶手段が記憶した複数の命令の順番が前記記憶手段が記憶する所定の命令の順番に一致しないと判定された場合に、前記受付手段が受け付けた命令に従った処理を実行する手段を更に備えることを特徴とする請求項３に記載のプロジェクタ。
【請求項５】
前記命令は、前記ポインタ図形を画像上のいずれかの方向へ移動させることを指示する命令であることを特徴とする請求項２乃至４のいずれか一つに記載のプロジェクタ。
【請求項６】
前記受付手段が最後に命令を受け付けてから経過した時間を計時する手段と、
該手段が計時した時間が所定時間を超過した場合に、前記ポインタ図形を変更する手段と
を更に備えることを特徴とする請求項２乃至５のいずれか一つに記載のプロジェクタ。
【請求項７】
前記ポインタ図形の軌跡が描く所定の形状の位置又は大きさを変更する手段を更に備えることを特徴とする請求項２乃至６のいずれか一つに記載のプロジェクタ。
【請求項８】
前記処理手段は、前記ポインタ図形の位置を連続的に変更する範囲を示す図形を画像上に一旦表示するように構成してあることを特徴とする請求項２乃至７のいずれか一つに記載のプロジェクタ。
【発明の詳細な説明】
【技術分野】
【０００１】
本発明は、画像を投影するプロジェクタに関し、より詳しくは、投影した画像上の任意の部分を指し示すポインタ図形を画像上に表示する機能を備えたプロジェクタに関する。
【背景技術】
【０００２】
プレゼンテーションの分野では、光源ランプからの光でスクリーンに画像を投影するプロジェクタが多く用いられている。例えば、パーソナルコンピュータ（ＰＣ）の表示画面を画像として投影することで、ＰＣで作成した種々の資料を手軽に公開し、発表者は投影画像として公開された資料を参照しながらプレゼンテーションを進めることができる。
【０００３】
プロジェクタで画像を投影しながらプレゼンテーションを行う際、投影画像の一部を発表者が指し示すことがある。このとき、発表者は指し棒又はレーザーポインタを用いるのが一般的である。レーザーポインタは指し棒よりも使いやすく、指し棒のように投影画像の一部を遮ることもないので、発表者がレーザーポインタを使用することが多くなってきている。
【０００４】
特許文献１には、レーザーポインタによる照射位置の視認性を向上させるために、レーザーポインタによる照射光の形状をＰＣからの制御により発表内容に合わせて変更することができる技術が開示されている。また特許文献２には、レーザーポインタによる照射光と同等の図形を画像に重ねて投影することにより、プロジェクタでレーザーポインタの機能を代行する技術が開示されている。
【特許文献１】特開２０００−２８４２２２号公報
【特許文献２】特開平９−３２５４１１号公報
【発明の開示】
【発明が解決しようとする課題】
【０００５】
特許文献１に開示された技術のように発表者がレーザーポインタを手で持って操作する場合は、発表者はレーザーポインタによる照射位置を常に手で調整しながら発表を行う必要があり、プレゼンテーションに集中し難いという問題がある。特許文献２に開示された技術のようにプロジェクタでレーザーポインタの機能を代行する場合は、リモートコントローラ（リモコン）が備えるカーソルキーを発表者が操作することで投影画像上のポインタ図形を移動させる構成となっており、ポインタ図形を所望の位置に移動させるための操作性が悪いという問題がある。例えば、レーザーポインタを手で操作する場合では投影画像上の強調したい部分を囲むように照射光を円状に移動させる等、自由に照射光を移動させることができるのに対して、リモコンのカーソルキーを操作する場合ではポインタ図形を同様に移動させることは困難である。
【０００６】
本発明は、斯かる事情に鑑みてなされたものであって、その目的とするところは、投影画像に重ねて表示するポインタ図形をより自由に移動させることができるようにすることにより、より快適なプレゼンテーションを実現可能にするプロジェクタを提供することにある。
【課題を解決するための手段】
【０００７】
本発明のプロジェクタは、画像を投影し、投影した画像上の任意の部分を指し示すポインタ図形を画像上に表示するプロジェクタにおいて、前記ポインタ図形の軌跡が所定の形状を描くように、画像上での前記ポインタ図形の位置を連続的に変更する手段を備えることを特徴とする。
【０００８】
本発明のプロジェクタは、画像を投影し、投影した画像上の任意の部分を指し示すポインタ図形を画像上に表示する手段と、複数の命令を受け付ける受付手段とを備えるプロジェクタにおいて、前記受付手段が予め定められた順番で所定の命令を連続して受け付けた場合に、前記ポインタ図形の軌跡が所定の形状を描くように、画像上での前記ポインタ図形の位置を連続的に変更する処理手段を備えることを特徴とする。
【０００９】
本発明のプロジェクタは、画像を投影し、投影した画像上の任意の部分を指し示すポインタ図形を画像上に表示する手段と、複数の命令を受け付ける受付手段とを備えるプロジェクタにおいて、前記受付手段が受け付けることが可能な連続した所定の命令の順番を、前記ポインタ図形の軌跡が所定の形状を描くように画像上での前記ポインタ図形の位置を連続的に変更する処理に対応付けて記憶する記憶手段と、前記受付手段が受け付けた命令を受け付けた順に複数個記憶する一時記憶手段と、前記受付手段が命令を受け付けた場合に、前記一時記憶手段が記憶した複数の命令の順番が、前記記憶手段が記憶する所定の命令の順番に一致するか否かを判定する手段と、前記一時記憶手段が記憶した複数の命令の順番が前記記憶手段が記憶する所定の命令の順番に一致すると判定された場合に、前記所定の命令の順番に対応付けられた処理を実行する処理手段とを備えることを特徴とする。
【００１０】
本発明のプロジェクタは、前記一時記憶手段が記憶した複数の命令の順番が前記記憶手段が記憶する所定の命令の順番に一致しないと判定された場合に、前記受付手段が受け付けた命令に従った処理を実行する手段を更に備えることを特徴とする。
【００１１】
本発明のプロジェクタは、前記命令は、前記ポインタ図形を画像上のいずれかの方向へ移動させることを指示する命令であることを特徴とする。
【００１２】
本発明のプロジェクタは、前記受付手段が最後に命令を受け付けてから経過した時間を計時する手段と、該手段が計時した時間が所定時間を超過した場合に、前記ポインタ図形を変更する手段とを更に備えることを特徴とする。
【００１３】
本発明のプロジェクタは、前記ポインタ図形の軌跡が描く所定の形状の位置又は大きさを変更する手段を更に備えることを特徴とする。
【００１４】
本発明のプロジェクタは、前記処理手段は、前記ポインタ図形の位置を連続的に変更する範囲を示す図形を画像上に一旦表示するように構成してあることを特徴とする。
【００１５】
本発明においては、投影した画像上にポインタ図形を表示するプロジェクタは、予め定められた順番で所定の命令を連続して受け付けた場合に、ポインタ図形の軌跡が円又は直線等の所定の形状を描くように、画像上でのポインタ図形の位置を連続的に変更する。このため、使用者が所定の順番で所定の命令を入力することにより、画像上でポインタ図形が円又は直線等の形状を描かれる。
【００１６】
また本発明においては、画像上でポインタ図形に円又は直線等の形状を描かせるために連続して受け付ける命令は、ポインタ図形の移動を指示する移動命令である。
【００１７】
また本発明においては、プロジェクタは、命令の受付が所定時間ない場合にポインタ図形をサイズ又は形状等が異なった他の図形に変更することにより、ポインタ図形を認識し易くする。
【００１８】
また本発明においては、プロジェクタは、ポインタ図形の軌跡が描く形状の位置又は大きさを変更可能とすることにより、画像上の任意の部分でポインタ図形の位置を連続的に変更できるようになる。
【００１９】
更に本発明においては、プロジェクタは、ポインタ図形の位置を連続的に変更する範囲を示すことにより、ポインタ図形の軌跡が描く形状の範囲が示される。
【発明の効果】
【００２０】
本発明にあっては、プロジェクタを用いてプレゼンテーションを行う発表者は、所定の順番で所定の命令を入力することにより、投影画像上の所望の部分でポインタ図形の軌跡に円又は直線等の形状を描かせることができるので、レーザーポインタを手で操作する場合と同様の操作性で、投影画像上の所望の部分を強調することができる。また発表者は、レーザーポインタを手で操作する場合のように所望の部分を強調することに煩わされることなく、プレゼンテーションに集中することができる等、本発明は優れた効果を奏する。
【発明を実施するための最良の形態】
【００２１】
以下本発明をその実施の形態を示す図面に基づき具体的に説明する。
図１は、本発明のプロジェクタ１の内部の機能構成を示すブロック図である。プロジェクタ１は、演算を行うプロセッサ、及び演算に伴う情報を記憶するＲＡＭ等からなる制御処理部１１を備えている。制御処理部１１には、プロジェクタ１を制御するために必要な各種の情報及び制御プログラムを記憶するＲＯＭ１２が接続されており、制御処理部１１は、ＲＯＭ１２が記憶する情報及び制御プログラムに従ってプロジェクタ１全体の動作を制御する処理を行う。制御処理部１１には、使用者が操作するリモコン１０から赤外線又は電波を用いて発信される信号を受信するリモコン受信部１４及び各種のスイッチからなって使用者の操作により各種の命令を受け付ける操作部１５が接続されている。制御処理部１１は、リモコン受信部１４又は操作部１５で各種の命令を受け付け、受け付けた命令に従った処理を実行する構成となっている。リモコン受信部１４又は操作部１５は、本発明における受付手段として機能する。また制御処理部１１には、受け付けた命令を受け付けた順に複数個記憶するコマンドメモリ（一時記憶手段）１３が接続されている。
【００２２】
またプロジェクタ１は、液晶パネル又はＤＭＤ等でなる平面状の画像形成パネル２１を備えており、画像形成パネル２１は、液晶又は微小ミラー等を用いてなる複数の画素を有し、画素数で規定される所定の解像度でパネル画像を形成する構成となっている。プロジェクタ１は、図示しない光源及び光学系を用いて画像形成パネル２１に対して光を照射する構成となっており、更に、パネル画像を形成した画像形成パネル２１に照射されて画像形成パネル２１で反射された光を外部へ投射する投射レンズ３を備えている。図１中の白矢印は光を示す。投射レンズ３からの光は、プロジェクタ１外のスクリーンＳに対して投射され、スクリーンＳ表面に投影画像が投影される。なお、プロジェクタ１は、パネル画像を形成した画像形成パネル２１を透過した光を投射レンズ３で投射することにより投影画像を投影する構成であってもよい。
【００２３】
またプロジェクタ１は、ＰＣ等の外部の装置から画像データを入力される入力部１６を備えている。入力部１６には、画像の解像度、サイズ又は形状を変更する等、入力部１６に入力された画像データに基づいた画像をプロジェクタ１で投影できるように調整する処理を行う画像処理部２３が接続されている。画像処理部２３には、画像処理部２３が処理を行った画像を含み、画像形成パネル２１に形成させるべき画像を生成する画像生成部２２が接続されている。画像生成部２２は画像形成パネル２１に接続されており、画像形成パネル２１は画像生成部２２が生成した画像を形成する構成となっている。画像処理部２３及び画像生成部２２は、画像処理用のメモリとプロセッサとを備えた演算回路で構成されている。なお、画像処理部２３及びパネル画像生成部２２は、これらが行うべき処理を実行可能な一つの演算回路で構成された形態であってもよく、これらが行うべき個々の処理別に構成されたより多数の演算回路でなる形態であってもよい。
【００２４】
また画像形成パネル２１には、投影画像上の任意の部分を指し示すポインタ図形を含むポインタ画像を生成するポインタ画像生成部２４が接続されている。また入力部１６、ポインタ画像生成部２４、画像処理部２３、画像生成部２２及び画像形成パネル２１は、制御処理部１１に接続されており、制御処理部１１による制御に従って動作する。制御処理部１１は、ポインタ図形の画像データを記憶しており、ポインタ画像生成部２４にポインタ画像を生成させ、画像生成部２２が生成した画像に重ねてポインタ画像を画像形成パネル２１に形成させ、画像を形成した画像形成パネル２１で反射した光を投射させることにより、ポインタ図形を含む投影画像をスクリーンＳに投影する。また制御処理部１１は、ポインタ図形のポインタ画像中での位置を変更したポインタ画像をポインタ画像生成部２４に生成させ、画像生成部２２が生成した画像に重ねてポインタ画像を画像形成パネル２１に形成させることにより、投影画像上でのポインタ図形の位置を変更する。
【００２５】
図２は、リモコン１０の一部を示す模式図である。図中の１０ａ〜１０ｄの夫々は、投影画像上での上，右，下，左の各方向へポインタ図形を移動させることを指示する移動命令を使用者が入力するためのカーソルキーである。例えば、使用者が右カーソルキー１０ｂを押下すると、右方向への移動命令を表す信号をリモコン１０が送信してリモコン受信部１４が受信し、制御処理部１１は、移動命令に従って、ポインタ画像生成部２４に生成させるポインタ画像中でのポインタ図形の位置を変更することにより、ポインタ図形を投影画像上で右方向へ移動させる処理を行う。プレゼンテーションの現場では、発表者がリモコン１０のカーソルキーを操作することにより、各種の資料を表す投影画像上でポインタ図形が移動し、投影画像上で発表者の所望の部分がポインタ図形で指し示される。
【００２６】
またＲＯＭ１２は、連続した移動命令の順番と、ポインタ図形の軌跡が円又は直線等の形状を描くように投影画像上でのポインタ図形の位置を連続的に変更する処理とを互いに対応付けたコマンドテーブルを記憶している。このように、ＲＯＭ１２は本発明における記憶手段として機能する。
【００２７】
図３は、コマンドテーブルの内容例を概念的に示した概念図である。図３には、所定の移動命令の順番と、ポインタ図形の位置が図中の矢印の方向に沿って連続的に変更される処理との例を示す。図中のハッチングをかけた丸印は位置を変更されたポインタ図形の軌跡を示す。図３の例では、上，右，下，左の移動命令の順番に対してポインタ図形の軌跡が円状になる処理が対応付けられ、右，左，右，左の移動命令の順番に対して、ポインタ図形が左右いずれかの方向へ行ったり来たりして軌跡が直線状になる処理が対応付けられている。また右，左，上，下の移動命令の順番に対してポインタ図形の軌跡が楕円状になる処理が対応付けられ、上，下，右，左の移動命令の順番に対してポインタ図形の軌跡が矩形状になる処理が対応付けられている。
【００２８】
制御処理部１１は、ＲＯＭ１２に記憶された制御プログラムに従って、コマンドテーブルに記録された処理を実行する構成となっている。リモコン１０には、投影画像上でのポインタ図形の位置を連続的に変更する処理を停止する命令を使用者が入力するための停止キーが備えられている。またＲＯＭ１２に記憶された制御プログラムは、ポインタ図形の位置を連続的に変更する処理の実行中に所定の命令を受け付けた場合に制御処理部１１が実行すべき処理を含んでいる。
【００２９】
次に、以上の構成でなる本発明のプロジェクタが実行する処理を説明する。図４は、本発明のプロジェクタ１がポインタ図形を表示する処理の手順を示すフローチャートである。制御処理部１１は、ポインタ図形を含むポインタ画像をポインタ画像生成部２４に生成させ、画像生成部２２が生成した画像に重ねてポインタ画像を画像形成パネル２１に形成させて、ポインタ図形を含む投影画像をスクリーンＳに投影することにより、投影画像上の任意の点を指し示すポインタ図形を投影画像上に表示する（Ｓ１）。制御処理部１１は、ポインタ図形を表示させながら、リモコン１０又は操作部１５を使用者が操作することによる各種の命令の受付を待ち受ける（Ｓ２）。
【００３０】
命令の受付がない場合は（Ｓ２：ＮＯ）、制御処理部１１は、最後に命令を受け付けてから経過した時間を計時し、最後に命令を受け付けてから所定時間が経過したか否かを判定する（Ｓ３）。まだ所定時間が経過していない場合は（Ｓ３：ＮＯ）、制御処理部１１は、処理をステップＳ２へ戻して命令の受付の待ち受けを続行する。最後に命令を受け付けてから所定時間が経過した場合は（Ｓ３：ＹＥＳ）、制御処理部１１は、サイズ、形状又は色等が異なった他の図形へポインタ図形を変更し（Ｓ４）、処理をステップＳ２へ戻す。
【００３１】
図５は、ポインタ図形の例を示す模式図である。図５（ａ）には点状のポインタ図形を示す。プロジェクタ１は、例えば赤色で図５（ａ）に示すポインタ図形を表示し、投影画像上の任意の部分を指し示す。図５（ｂ）にはサイズが大きくなったポインタ図形を示し、図５（ｃ）には立方体状のポインタ図形を示す。制御処理部１１は、これらのポインタ図形の画像データを記憶しており、ポインタ画像生成部２４に生成させるポインタ画像に含まれるポインタ図形を変更することにより、投影画像上のポインタ図形を変更する。長時間ポインタ図形が停止している場合に、図５（ａ）に示す如き点状のポインタ図形から、図５（ｂ）又は（ｃ）に示す如きサイズ又は形状が異なったポインタ図形へ変更することにより、ポインタ図形が視認しやすくなる。なお、制御処理部１１は、色を変更したポインタ図形、矢印若しくは指等の他の形状のポインタ図形、又は動画でなるポインタ図形等、図５に示した以外のポインタ図形へ変更する処理を行ってもよい。
【００３２】
ステップＳ２で命令を受け付けた場合は（Ｓ２：ＹＥＳ）、制御処理部１１は、受け付けた命令が画像の投影を終了することを指示する終了命令であるか否かを判定する（Ｓ５）。受け付けた命令が終了命令である場合は（Ｓ５：ＹＥＳ）、制御処理部１１は、画像形成パネル２１に画像の形成を終了させる等の処理により、画像を投影する処理を終了する。
【００３３】
ステップＳ５で命令が終了命令でない場合は（Ｓ５：ＮＯ）、制御処理部１１は、受け付けた命令をコマンドメモリ１３に記憶させる（Ｓ６）。コマンドメモリ１３は、受け付けた複数の命令を先入れ先出しで記憶するメモリであり、少なくとも４個の命令を受け付けた順に記憶する。制御処理部１１は、次に、コマンドメモリ１３の記憶内容を参照し、最近受け付けた複数の命令の順番が、ＲＯＭ１２に記憶されたコマンドテーブルに含まれた命令の順番であるか否かを判定する（Ｓ７）。最近受け付けた複数の命令の順番がコマンドテーブルに含まれていない場合は（Ｓ７：ＮＯ）、制御処理部１１は、受け付けた命令に従った処理を実行し（Ｓ８）、処理をステップＳ２へ戻す。例えば、受け付けた命令が右への移動命令である場合、制御処理部１１は、ポインタ図形を投影画像上で右方向へ移動させる処理を実行する。最近受け付けた複数の命令の順番がコマンドテーブルに含まれている場合は（Ｓ７：ＹＥＳ）、制御処理部１１は、最近受け付けた複数の命令の順番にコマンドテーブルに対応付けられた、ポインタ図形の軌跡が所定の形状を描くようにポインタ図形の位置を連続的に変更する処理を実行する（Ｓ９）。
【００３４】
図６は、ステップＳ６〜Ｓ９の処理の具体例を示す図表である。図６には、リモコン受信部１４又は操作部１５で受け付けた命令を順に示し、各命令に対応して、ステップＳ７での判定結果と制御処理部１１の処理内容とを示している。図６に示す命令は、上から下への順で受け付けたとする。最初に上への移動命令を受け付けた場合、コマンドメモリ１３では他に命令を記憶しておらず、判定結果はＮＯとなり、制御処理部１１はポインタ図形を上へ移動させる処理を行う。次に左への移動命令を受け付けた場合、上，左の移動命令の順番はコマンドテーブルに含まれておらず、判定結果はＮＯとなり、制御処理部１１は左への移動命令に従ってポインタ図形を左へ移動させる処理を行う。上，右，下の移動命令を受け付けた後で左の移動命令を受け付けた場合、上，右，下，左の移動命令の順番は、図３に示すコマンドテーブルに含まれており、判定結果はＹＥＳとなる。上，右，下，左の移動命令の順番は、ポインタ図形の軌跡が円状になる処理が対応付けられているので、制御処理部１１は、ポインタ図形の軌跡が円を描くようにポインタ図形の投影画像上での位置を連続的に変更する処理を実行する。
【００３５】
このように、ステップＳ９では、図３に示した例のように、円、直線、楕円又は矩形等、受け付けた命令の順番に対応付けられた所定の形状をポインタ図形の軌跡が描くように、制御処理部１１は、ポインタ図形の投影画像上での位置を連続的に変更する。円、楕円又は矩形等、投影画像上の特定の部分を囲むようにポインタ図形が移動することで、投影画像上の特定の部分を強調することができる。また文書を表す投影画像が投影されている場合、特定の行の下でポインタ図形が横方向へ直線状に繰り返し移動することで、投影画像が表す文書中の特定の行を強調することができる。
【００３６】
またステップＳ９では、制御処理部１１は、元のポインタ図形の位置を中心にしてポインタ図形の軌跡が描く形状の範囲を示す図形を一旦表示する処理を行う。図７は、ポインタ図形の軌跡が円を描くようにポインタ図形の位置を連続的に変更する処理の表示例を示す模式図である。図７（ａ）に示す点状のポインタ図形が表示されており、次に、この元のポインタ図形の位置を中心にして、図７（ｂ）に示す大きい円のポインタ図形が表示され、次に、図７（ｃ）に示す如く、図７（ｂ）の円と同じ大きさの円を描くように、点状のポインタ図形の位置が連続的に変更される。このような処理を行うことで、投影画像上のポインタ図形で指し示されている部分を認識し易くなる。楕円又は矩形等の他の形状をポインタ図形の軌跡が描く場合においても、制御処理部１１は、同様の処理を行う。なおステップＳ９では、制御処理部１１は、元のポインタ図形の位置を基点にしてポインタ図形の位置を変更させる処理を行ってもよい。
【００３７】
ステップＳ９でのポインタ図形の位置を連続的に変更する処理を実行しながら、制御処理部１１は、リモコン１０又は操作部１５を使用者が操作することによる各種の命令の受付を待ち受ける（Ｓ１０）。命令の受付がない場合は（Ｓ１０：ＮＯ）、制御処理部１１は、命令の待ち受けを続行する。命令を受け付けた場合は（Ｓ１０：ＹＥＳ）、制御処理部１１は、リモコン１０の停止キーを使用者が押下した等による、ポインタ図形の位置を連続的に変更する処理の停止を指示する停止命令であるか否かを判定する（Ｓ１１）。受け付けた命令が停止命令ではない場合は（Ｓ１１：ＮＯ）、制御処理部１１は、受け付けた命令に対応する処理を実行する（Ｓ１２）。
【００３８】
ステップＳ１２では、例えば、ポインタ図形の位置を連続的に変更する処理を実行している間に移動命令を受け付けた場合にはポインタ図形の軌跡が描く形状を移動させる処理を行う。即ち、ポインタ図形の軌跡が円を描いている間に使用者がリモコン１０の右カーソルキー１０ｂを押下すると、ポインタ図形の軌跡が描く円が右方向へ移動する。また例えば、制御処理部１１は、ポインタ図形の軌跡が描く形状の大きさを変更する処理を行う。図８は、ポインタ図形の軌跡が描く円の大きさが変更された例を示す模式図である。図８（ａ）は、ポインタ図形の軌跡が小さい円を描いている状態を示し、図８（ｂ）は、ポインタ図形の軌跡がより大きい円を描いている状態を示す。例えば、制御処理部１１は、ポインタ図形の位置を連続的に変更する処理を実行している間に音量の変更する命令を受け付けた場合に、ポインタ図形の軌跡が描く形状の大きさを変更する処理を行う。即ち、図８（ａ）に示す如くポインタ図形の軌跡が円を描いている間に使用者がリモコン１０の図示しない音量増大キーを押下すると、ポインタ図形の軌跡が描く円が図８（ｂ）に示す如き大きな円となる。受け付けた命令に特に処理が対応付けられていない場合は、制御処理部１１は、特に処理を行わない。ステップＳ１２が終了した後は、制御処理部１１は処理をステップＳ１０へ戻す。
【００３９】
ステップＳ１１で、受け付けた命令が停止命令であった場合は（Ｓ１１：ＹＥＳ）、制御処理部１１は、ポインタ図形の位置を連続的に変更する処理を停止し（Ｓ１３）、処理をステップＳ２へ戻す。なお、制御処理部１１は、停止命令を受け付けずとも、ポインタ図形の位置を連続的に変更する処理を開始してから所定の時間が経過した場合に、ポインタ図形の位置を連続的に変更する処理を停止してもよい。また制御処理部１１は、ステップＳ１１で特に処理が対応付けられていない命令を受け付けた場合にポインタ図形の位置を連続的に変更する処理を停止する処理を行ってもよい。
【００４０】
以上詳述した如く、本発明のプロジェクタ１は、予め定められた順番で所定の命令を連続して受け付けた場合に、ポインタ図形の軌跡が円又は直線等の所定の形状を描くように、投影画像上でのポインタ図形の位置を連続的に変更する処理を行う。プロジェクタ１を用いてプレゼンテーションを行う発表者は、リモコン１０を用いて所定の順番で所定の命令を入力することにより、投影画像上でポインタ図形に円又は直線等の所定の形状を描かせることができる。投影画像上の特定の部分でポインタ図形が円又は直線等の形状を描くことで、投影画像上の特定の部分が強調される。即ち、発表者は、レーザーポインタを手で操作する場合と同様の操作性で、投影画像上の所望の部分を容易に強調することができる。
【００４１】
また、プレゼンテーション中では発表者はリモコン１０のキーの内で主にカーソルキーを操作するので、発表者が操作し慣れたカーソルキーを操作することで容易にポインタ図形の軌跡に所定の形状を描かせることができる。また投影画像上の所望の部分を強調するポインタ図形は、プロジェクタ１が生成しているので、発表者は、レーザーポインタを手で操作する場合のようにポインタの位置を調整することに煩わされることなく、プレゼンテーションに集中することができる。
【００４２】
なお、本実施の形態においては、所定の移動命令の順番と投影画像上でのポインタ図形の位置を連続的に変更する処理とを対応付けた例を示したが、本発明のプロジェクタ１は、これに限るものではなく、移動命令以外の命令の順番と投影画像上でのポインタ図形の位置を連続的に変更する処理とを対応付けた形態であってもよい。即ち、使用者がリモコン１０のカーソルキー以外のキーを所定の順番で押下することによって、投影画像上でのポインタ図形の位置を連続的に変更する処理を実行させるように構成することも可能である。
【００４３】
また本実施の形態においては、リモコン１０を使用者が操作することによってリモコン受信部１４で受け付けた命令をコマンドメモリ１３で記憶する形態を示したが、本発明のプロジェクタ１は、リモコン１０でコマンドテーブル及び受け付けた命令を記憶する形態であってもよい。この形態の場合は、使用者が入力した命令を順にリモコン１０で記憶し、受け付けた命令の順番がコマンドテーブルに含まれている場合に、リモコン１０は受け付けた命令の順番に対応付けられた処理を実行することを指示する命令を送信し、制御処理部１１はリモコン受信部１４で受信した命令に従った処理を実行する。また本発明のプロジェクタ１は、操作部１５を使用者が操作することによって入力される命令の順番と投影画像上でのポインタ図形の位置を連続的に変更する処理とを対応付けた形態であってもよい。これらの形態の場合でも、プロジェクタ１は本発明を実行することが可能である。
【図面の簡単な説明】
【００４４】
【図１】本発明のプロジェクタの内部の機能構成を示すブロック図である。
【図２】リモコンの一部を示す模式図である。
【図３】コマンドテーブルの内容例を概念的に示した概念図である。
【図４】本発明のプロジェクタがポインタ図形を表示する処理の手順を示すフローチャートである。
【図５】ポインタ図形の例を示す模式図である。
【図６】ステップＳ６〜Ｓ９の処理の具体例を示す図表である。
【図７】ポインタ図形の軌跡が円を描くようにポインタ図形の位置を連続的に変更する処理の表示例を示す模式図である。
【図８】ポインタ図形の軌跡が描く円の大きさが変更された例を示す模式図である。
【符号の説明】
【００４５】
１  プロジェクタ
１０  リモコン
１１  制御処理部
１２  ＲＯＭ（記憶手段）
１３  コマンドメモリ（一時記憶手段）
１４  リモコン受信部（受付手段）
１５  操作部（受付手段）
２１  画像形成パネル
２４  ポインタ画像生成部
【図１】
2008293289.tif 000003
【図２】
2008293289.tif 000004
【図３】
2008293289.tif 000005
【図４】
2008293289.tif 000006
【図５】
2008293289.tif 000007
【図６】
2008293289.tif 000008
【図７】
2008293289.tif 000009
【図８】
2008293289.tif 000010